【事件の表示】
　特許第２８３３７０５号「衛生ナプキン」の特許に対する特許異議の申立てについて、次のとおり決定する。
【結　論】
　訂正を認める。
　特許第２８３３７０５号の特許を維持する。
【理　由】
［Ｉ］手続の経緯
　特許第２８３３７０５号の発明についての出願は、平成１年４月１４日（優先権主張　１９８８年４月１４日、米国）に特許出願され、平成１０年１０月２日にその発明について特許の設定登録がなされ、その後、その特許について、花王株式会社より特許異議の申立てがなされ、取消理由通知がなされ、その指定期間内である平成１２年４月２４日に訂正請求がなされたものである。
［II］訂正の適否についての判断
ア．訂正の内容
　特許権者は、以下の訂正を請求する。
　特許請求の範囲を
「【請求項１】（ａ）長手方向に延びている側部、横の端部、体に面する側及び下着に面する側を有する吸収素材；及び
（ｂ）該吸収素材の各長手方向側部から延びているフラップから構成され、少なくとも該フラップの一つは該吸収素材の下着に面する側と鋭角的な関係に該フラップを配置する丁番手段を含むことを特徴とする衛生ナプキン。」から、
「【請求項１】（ａ）長手方向に延びている側部、横の端部、体に面する側及び下着に面する側を有する吸収素材；及び
（ｂ）該吸収素材の各長手方向側部から延びているフラップから構成され、少なくとも該フラップの一つは該吸収素材の下着に面する側と鋭角的な関係に該フラップを配置する丁番手段を含み、該丁番手段は該吸収素材の長手方向側部に沿って位置していることを特徴とする衛生ナプキン。」と訂正する。
イ．訂正の目的の適否、新規事項の有無及び拡張・変更の存否
　上記訂正は、丁番手段について、これを設ける位置を「吸収素材の長手方向側部に沿っ」たところに限定するものであるから、特許請求の範囲の減縮に該当するものであり、かかる位置については、特許明細書第６頁第９〜１１行に「少なくとも一つの長手方向側面に沿って位置する特別に設計された丁番手段を備えて」との記載があるから、新規事項の追加に該当しない。
　そして、上記訂正は、実質上特許請求の範囲を拡張し、又は変更するものでもない。
ウ．独立特許要件
　上記訂正により訂正された請求項１に係る発明は、後記する内容から明らかなように、特許出願の際独立して特許を受けることができるものである。
　以上のとおりであるから、上記訂正は、特許法第１２０条の４第２項及び同条第３項において準用する第１２６条第２〜４項の規定に適合するので、当該訂正を認める。
［III］特許異議の申立てについて
ア．本件発明
　本件発明は、訂正した明細書の特許請求の範囲に記載された、以下のとおりのものである。
【請求項１】（ａ）長手方向に延びている側部、横の端部、体に面する側及び下着に面する側を有する吸収素材；及び
（ｂ）該吸収素材の各長手方向側部から延びているフラップから構成され、少なくとも該フラップの一つは該吸収素材の下着に面する側と鋭角的な関係に該フラップを配置する丁番手段を含み、該丁番手段は該吸収素材の長手方向側部に沿って位置していることを特徴とする衛生ナプキン。
イ．申立ての理由の概要
　これに対し、特許異議申立人花王株式会社は、証拠として
甲第１号証：実願昭５３−９８２０７号（実開昭５５−１６１３５号）のマイクロフィルム
を提示し、本件請求項１に係る発明は、甲第１号証に記載された発明であるから特許法第２９条第１項第３号に該当し、また、甲第１号証に記載された発明に基づいて当業者が容易に発明をすることができたものであるから、特許法第２９条第２項の規定により、特許を受けることができないものである旨主張している。
　ウ．判断
　そこで、この特許異議申立人の主張について、以下検討する。
　甲第１号証には、吸収体を、長短両辺の長さが該吸収体の寸法よりやや大きい防水シートの上に置き、短辺側外側の防水シートを吸収体の上面に折返し、その上面全体を外包材で被い、防水シートと外包材が重なり合った部分を接合固定し、吸収体の長辺側外側にひだ状部を形成して成る生理用ナプキンが記載されており（実用新案登録請求の範囲第１項）、吸収体の長辺側外側のひだ状部を、防水シート側に折り曲げ固定したものも記載されている（実用新案登録請求の範囲第３項）。
　ここで、本件請求項１に係る発明（以下、本件発明という。）と甲第１号証記載のものとを対比すると、両者は、本件発明の（ａ）の要件を備える吸収素材及び該吸収素材の各長手方向側部から延びているフラップを有する衛生ナプキンである点で軌を一にするが、本件発明は、（１）少なくとも該フラップの一つは該吸収素材の下着に面する側と鋭角的な関係に該フラップを配置する丁番手段を含む点、（２）該丁番手段は該吸収素材の長手方向側部に沿って位置している点、の２点で、甲第１号証記載のものと相違する。
　ここで、（１）の点について、本件特許異議申立人は、甲第１号証記載のひだ状部（フラップ）は本件発明におけるフラップと同様に、下着に面する側（防水シート側）に折り曲げられて固定されていることから、その折り曲げ部は、ひだ状部を下着に面する側に鋭角的に固定する丁番として機能するものである旨主張する。
　しかしながら、甲第１号証記載のひだ状部は、特許異議申立人がいうように、折り曲げられ固定されたものであるから、その折り曲げられた部分は、一貫して折り曲げられた状態となっていると考えられるのに対し、本件発明のフラップは、そこに設けられる丁番手段により下着側に配置されるものであるとされていることから、該フラップは、例えば、衛生ナプキンの使用時に、丁番手段のところで下着側に折り曲げる等して下着側に配置されるものであるといえる。
　してみれば、甲第１号証記載の折り曲げ部は、本件発明における丁番手段として機能するものではなく、また、上記のように、固定されたひだ状部が記載されている甲第１号証の記載から、丁番手段を備えたフラップという、いわば可動性のものが容易に想到されるものともいえない。
　また、（２）の点について検討するに、甲第１号証記載の考案は、実用新案登録請求の範囲の記載からみて、上記ひだ状部を形成することを必須の構成要件とするものであり、その第４図によれば、ひだ状部を防水シート側へ巻き上げた形態のときをはじめ、いずれの形態の場合も、ひだ状部には平面状に広がる部分が存在するものである。
　してみれば、本件発明の（２）のごとく、フラップを吸収素材の長手方向側部に沿った位置で折り曲げること、すなわち、吸収素材の長手方向側部に平面状に広がる部分をもたないフラップとすることについては、甲第１号証は何ら示唆するものではない。むしろ、他の構造に加えて上記のようなひだ状部を採用したことにより、縦方向及び横方向への洩れが著しく防止された旨説明されている（明細書第５頁下から４行〜第６頁第６行）ところからすれば、かかる甲第１号証に接した当業者は、横方向への洩れの防止には、上記平面状に広がる部分を有するひだ状部が役に立っているものと考えるのが自然であると認められ、そうであれば、甲第１号証の記載は、本件発明の（２）の構成を否定するものとさえいえるものである。
　そして、本件発明は、上記（１）、（２）のような構成を採用することにより、衛生ナプキンの使用時に、フラップを横方向に延ばし、次いで、下着の股部分上に折り曲げることによって下着上で折り込むことができるという、明細書記載の作用効果を奏し得たものである。
　したがって、本件発明は、甲第１号証に記載された発明でないばかりか、甲第１号証に記載された発明に基いて当業者が容易に発明をすることができたものでもない。
［IV］むすび
　以上のとおり、特許異議申立ての理由及び証拠によっては、本件請求項１に係る特許を取り消すことができない。
　また、請求項１に係る特許について、他に取消理由を発見しない。
　よって結論のとおり決定する。
【異議決定日】
平成１２年５月２９日（２０００．５．２９）
【訂正の要旨】
　特許請求の範囲の
「【請求項１】（ａ）長手方向に延びている側部、横の端部、体に面する側及び下着に面する側を有する吸収素材；及び
（ｂ）該吸収素材の各長手方向側部から延びているフラップから構成され、少なくとも該フラップの一つは該吸収素材の下着に面する側と鋭角的な関係に該フラップを配置する丁番手段を含むことを特徴とする衛生ナプキン。」を、
特許請求の範囲の減縮を目的として、
「【請求項１】（ａ）長手方向に延びている側部、横の端部、体に面する側及び下着に面する側を有する吸収素材；及び
（ｂ）該吸収素材の各長手方向側部から延びているフラップから構成され、少なくとも該フラップの一つは該吸収素材の下着に面する側と鋭角的な関係に該フラップを配置する丁番手段を含み、該丁番手段は該吸収素材の長手方向側部に沿って位置していることを特徴とする衛生ナプキン。」と訂正する。
（５４）【発明の名称】
衛生ナプキン
（５７）【特許請求の範囲】
　１．
　（ａ）長手方向に延びている側部、横の端部、体に面する側及び下着に面する側を有する吸収素材；及び
　（ｂ）該吸収素材の各長手方向側部から延びているフラップから構成され、少なくとも該フラップの一つは該吸収素材の下着に面する側と鋭角的な関係に該フラップを配置する丁番手段を含
み、該丁番手段は該吸収素材の長手方向側部に沿って位置している
【発明の詳細な説明】
本発明の技術分野
　本発明は下着用の保護的、吸収性のライナー（ｌｉｎｅｒ）に関し、及びより詳細にはパンティーの股部分の端の周囲に側面パネルを折り込むための衛生ナプキン（ｓａｎｉｔａｒｙ　ｎａｐｋｉｎ）の造形に関する。
　本発明の要旨は、予め折り畳まれた可撓性の位置にフラップ（ｆｌａｐ）の少なくとも一つを配置するための特別に設計された丁番（ｈｉｎｇｅ）手段を有する側面保護フラップを含む衛生ナプキンであり、中でも好適な具体化のフラップは、別に付着用接着剤を使用せずに下着の股部分の周囲を包むことができることである。
本発明の技術的背景
　衛生ナプキン製品の期待される保護作用の欠如は、装着者の体との緊密な接触が欠けていること、並びに下着の必要な区域上に適度な被覆を与え損なっていることにより生じると考えられる。衛生的保護材の当業者は、中心の吸収素材区域に隣接して盛り上げた（ｒａｉｓｅｄ）端部を創設することを意図して、長手方向に配置された部材を有する吸収材製品を導入することによりこれらの問題を克服しようと試みた。これらの盛り上げた端部の遮蔽材は、横方向の漏れに対する遮断材として作用するように意図されている。例えばマクファーランド（ＭｃＦａｒｌａｎｄ）の米国特許第４，５７９，５５６号；ウィドランド（Ｗｉｄｌｕｎｄ）等の１９８３年３月１７日出願のヨーロッパ特許ＥＰＯ第００９１４１２号；及びモクリ（Ｍｏｋｒｙ）の１９８５年２月２日出願のヨーロッパ特許ＥＰＯ第０１５５５１５号、及びファン・チルバーグ（Ｖａｎ　Ｔｉｌｂｕｒｇ）の米国特許第４，５８９，８７６号はそのような手段を用いて問題を解決することを試みた。
　より最近のナプキンのデザインには、横方向の漏れの問題に更に取り組むために、中心の吸収材の長手方向側面から横方向に伸びている側面パネル、フラップ又はウィング（ｗｉｎｇ）が含まれている。マッチングリ（Ｍａｔｔｉｎｇｌｙ）の米国特許第４，６０８，０４７号、及びマクネア（ＭｃＮａｉｒ）の米国特許第４，２８５，３４３号を参照のこと。これらの製品は体液が長手方向側部上に産み出てパンティーを汚すことを防ぐために、パンティーのような下着の股の周囲を包む側面延長部を突き出させることにより下着を保護するようにデザインされている。これらのナプキンのフラップはそれらを下着に付着させるために、それらの体液不透過性の表面上に接着して配置することが好ましい。例えばマクネアの特許は、接着剤に剥離可能なように付着している剥離紙を取り除くことによって露出する、中心の吸着材の下での接着剤の使用を記載している。ナプキンを次いで下着の股部に付着させる。使用者は各フラップの接着剤から剥離紙を除去し、フラップを下着の下側表面に付着させる。しかしこのようにしてフラップを付着させることは時間がかかり、面倒な仕事であることが知られている。更に、こうした手順は製品を着け誤ることにつながり易い。
　従ってパンティーに密着することができ、一層便利にパンティーから取り除くことができるパンティー保護フラップを有する衛生ナプキンに対する要望が存在する。
　それ故、従来技術によるパンティーに比較して、使用後に比較的容易に除去されるウィングを着けた（ｗｉｎｇｅｄ）衛生ナプキンを提供することが本発明の目的である。
　パンティーの股部分の側面の周囲に、接着剤を用いずにフラップを着けることを可能とする弾性丁番部分を有するウィングを着けた衛生ナプキンを提供することが本発明の別な目的である。
　これらの目的及び本記述を読了すれば当業者には明らかになるであろう他の目的を考慮に入れれば、本発明は事実上以下に記載され及び添付特許請求の範囲でより詳細に定義されるような新規構造物、組み合わせ物、部品の配置方式及び方法中に存在すると言える。
本発明の総括
　体に面する表面、反対側に配置された下着に面する表面、長手方向の側面及び中心の吸収素材に隣接する長手方向側面に付着可能に配置されたフラップを有するウィング付き衛生ナプキンが、少なくとも一つの長手方向側面に沿って位置する特別に設計された丁番手段を備えて提供される。丁番手段はフラップ上に位置決め接着剤を必要とすることなく、使用者の下着にナプキンを付着できるように、少なくとも一つのフラップを予め折り畳まれた可擁性の位置に配置させるのに役立つ。好適にはフラップが下着の股部分の側面と重複できるように、本発明のナプキンは中心の吸収素材の下着に面する側と充分な鋭角を形成するフラップを有している。
　本発明の製品は最初に位置決め接着剤を用いてパンティーに付着される。次いで本製品のフラップは、フラップの間の接着剤で被覆されたナプキンの下着に面する側にパンティーの股が適合できるように拡げられる。
　本発明により提供された付着方式は、下着の股の周囲を包むフラップにより下着の被覆面積が増大するためにパンティーの汚染が最少となる。本発明の製品は又他の方法では廃棄する必要のある剥離紙をなくすることにより、選択の幅が増大するという利点を有する。本発明の好適な具体化においては、フランジの体に面する側は或程度の吸収能力を有しているが、これらのフランジの下着に面する側は体液−非透過性の材料で製造することができる。
本発明の詳述
　図面、及び特にその第１及び２図を参照すると、長手方向に延びている側部、横方向端部、体に面する側３０及び下着に面する側２０を備えた吸収素材を有する好適な衛生ナプキン１００が示されている。本具体化のフラップ１０は吸収素材の各長手方向側部から横方向に延びており、これらのフラップの少なくとも一つは吸収素材の下着に面する側２０に或角度的関係を以て該フラップを配置するための丁番手段を含んでいる。好適にはフラップの両者が丁番手段を含み、それにより両方のフラップが下着の股の側面の対応する部分と重複することを可能としている。
　丁番手段５０は吸収素材の下着に面する側２０に対する角度的関係において、９０°より小さい角度、４５、３０及び最も好適には１５°よりも小さい角度で、フラップ１０を配置するために使用することができる。本発明の丁番手段は、熱処理、機械的又は化学的手段により弾性とすることができる多様な弾性的材料から形成することができる。一つの好適な具体化においては、丁番手段は弾性的な重合体材料、好適にはホ
な他の熱可塑性材料から成っていてもよい。最も好適には選択された材料は、該材料中の成分が１：１の比で存在する、熱硬化され圧縮された
獲得するのに役立っている。本発明の丁番手段は長手方向に延びる側部に沿ってフラップと一体的なものであってもよく、又は別個の構造物であってもよい。
　又一方、好適には体液不透過性の表面に配置された、弾性的なストリップ（ｓｔｒｉｐ）材料により本発明のバイアス（ｂｉａｓ）した丁番が形成されてもよい。フラップ１０に丁番作用（ｈｉｎｇｉｎｇ　ｅｆｆｅｃｔ）を付与するように、これらのストリップはフラップ及び中心の吸収素材を横断して横方向に配列されていてもよい。この概念を例示する一つの好適なデザインは、フ
された弾性ストリップを用いる例である。本発明の丁番手段は、一種又は多種の薄い金属又は屈曲性のプラスチック線材を横方向にフラップ及び中心吸収素材を横断するように組み込んで、それを所望の角度に曲げることによって製造することもできる。
　感圧性付着接着剤も随時本発明の衛生ナプキンの下着に面する側に使用することができる。該付着接着剤は当業者には周知である。好適には、こうした接着剤は衛生ナプキンの下着に面する側の長手方向軸線に沿ってストリップ状に塗布される。好適にはかような接着剤は下着に付着するのに充分な程度に強力でなければならないが、衛生ナプキンを外す時に下着から取り外せない程強くてはならない。
　衛生ナプキンに適当な接着剤組成物は、例えばアタリレート接着剤のように、水をベースとした感圧性接着剤を含む。一方、接着剤は迅速に硬化する熱可塑性“ホット・メルト”、ゴム接着剤、又は両面接着テープを包含することができる。当該技術で普通であるように、使用前に保護するためにこれらの接着剤組成物を好適な剥離用クラフト紙ストリップで被覆することもできる。
　本発明のナプキンは下着の股部分上にフラップ
１０
　吸収素材はナプキン１００を余分に変形させることなく容易に曲げることができるような、当業者には周知の弾性材料を含むことができる。こうした材料は圧縮したセルロース系繊維及びコポロウ（Ｋｏｐｏｌｏｗ）の米国特許第４，５５１，１４２号に記載されたようなハイドロコロイド（ｈｙｄｒｏｃｏｌｌｏｉｄ）性材料を含む。好適な吸収素材は長さ約４−１２インチ、好適には約８−１１インチである。それは好適には緩く会合した吸収性の親水性材料、例えばセルロース繊維、木材パルプ、再生セルロース又は綿セルロース、配合パルプ及び捜液性である繊維を含む他の弾性繊維、及び／又は当業者に周知の他の材料から製造された芯を含んでいてもよい。
　当業界では普通であるように、ナプキン１００の体に面する側は体液透過性の表面である。該体液透過性の表面は比較的非−吸収性の体液−透過性の材料から製造されている。この材料は心地良さを増大させて快適性を与え、体液を下段の層、例えば該液を保持する木材パルプに導く。更に、体液透過性の表面は皮膚に隣接して比較的乾燥した表面を提供するように、その構造内に体液を殆ど又は全く保有してはならない。好適には、体液透過性の表面は吸収素材の体に面する側を被覆するのに充分な幅を有する単一な長方形のシート材料である。好適には体液透過性の表面は、吸収素材を充分に密閉するために他の透過性又は不透過性層で封止できる末端タブを形成するように、吸収素材よりも長くなっている。この表面は体液によって浸透され得る織物状又は不織布材料であってもよい。体液透過性の表面は好適にはポリエチレン又はポリプロピレン又は穿孔された重合体フィルムのような熱可塑性重合体の繊維又はフィラメントから製造されている。
　吸収素材の下層にあるのは製品に更に弾性を与える吸収性材料の別な層であることができる。この層は吸収素材の側面から逃げる如何なる体液をも捕捉するように、吸収素材の芯材の長手方向側面を超えて延びていてもよい。この層は又吸収素材の芯材よりも事実上幅広であってもよく、そしてフラップ中に延びていてもよい。吸収材層はセルロース系繊維から製造された薄葉紙（ｔｉｓｓｕｅ）、繊維布、等のような薄い、吸収材層を含むことができる。かような材料は安全の目安として提供されており、逃散した液体を含むためにのみ必要であり、極めて吸収性である必要はなく、事実上、疎水性材料等を含む毛細管状又は細胞状系から成っていてもよい。しかし、好適な材料は木材パルプ薄葉紙又は他の適当な親水性織物状又は不織布材料のようなセルロース系の繊維から成る親水性の繊維布である。この好適な薄葉紙は製品に弾性及び快適性を付与する利点を有している。
　本発明の衛生ナプキンは更に下着に面する側に体液不透過性の表面を含むことができる。こうした不透過性の表面は、好適には液体の通過を遮断しながら、空気及び水蒸気が外側表面に向かって通過することを可能とするものである。不透過性の表面は芯材又は吸収素材に、又は熱封止又は接着剤によって透過性の表面の被覆中に包まれている芯材に固定されていてもよい。不透過性の表面は重合体フィルム、例えばポリエチレン、ポリプロピレン、セロファン又は、含浸処理された撥液性紙又は不織布材料のような、不透過性になるように処理された普通は液体透過性の材料さえも含まれるような、任意の薄い、柔軟な、体液不透過性の材料から製造することができる。最も好適には、不透過性の表面にはポリエチレンの可塑性フィルム又は酢酸エチルビニル／ポリエチレン同時押し出しフィルムのような二成分フィルムが含まれる。
　本発明の好適な膨張性フラップ１０は伸張性の柔軟な材料から製造されなければならない。好適にはフラップ１０は吸収性パルプ材料を含んでいない。フラップ１０は又吸収芯材の下着に面する側の体液不透過性表面に関連して上に述べた材料ような体液不透過性の裏地を含んでいてもよい。フラップ１０は体液不透過性の被覆及び、被覆と裏地層の間に配置された吸収性の薄葉紙を有していてもよい。更に本発明のフラップ１０は少量の液体を保持するのに充分な吸収性の薄葉紙を含むことが好ましい。この薄葉紙はフラップ１０の端の周囲に、好適な不透過性の裏地及び吸収性の区域を形成するための体液透過性被覆と熱封又は接着剤で封止することができる。従ってフラップは失敗を防止するのに役立つ体液の貯蔵域として作用する。
　前記の事項から、本発明はウィング付きの衛生ナプキンの容易な使用法を実現化することができる。可撓性の丁番手段は使用の際容易に膨張し、接着剤を追加して付置せしめる不便を強いることなく、装着者の股の周囲にフラップを快適に存在させることができる。各種の具体化が例示されたが、これは説明の目的のためであって、本発明を限定するものではない。当業者には明らかである各種の変更法は添付特許請求の範囲に記載された本発明の範囲内にある。
　本発明の主なる特徴及び態様は以下の通りである。
　１．
　（ａ）長手方向に延びている側部、横の端部、体に面する側及び下着に面する側を有する吸収素材；及び
　（ｂ）該吸収素材の各長手方向側部から延びているフラップから構成され、少なくとも該フラップの一つは該吸収素材の下着に面する側と鋭角的な関係に該フラップを配置する丁番手段を含むことを特徴とする衛生ナプキン。
　２．該フラップの両者が、該吸収素材の下着に面する側と鋭角的な関係に該フランジを配置する丁番手段を含む上記１に記載の衛生ナプキン。
　３．該フラップが下着の股部分の側面の周囲を包むのに充分な鋭角的な角度を形成するように配置されている上記１に記載の衛生ナプキン。
　４．該角度が約９０°以下である上記３に記載の衛生ナプキン。
　５．該角度が約４５°以下である上記３に記載の衛生ナプキン。
　６．該角度が約３０°以下である上記３に記載の衛生ナプキン。
　７．該角度が約１５°以下である上記３に記載の衛生ナプキン。
　８．該丁番が弾性的な重合体材料から成る上記４に記載の衛生ナプキン。
　９．該弾性的な重合体材料が熱可塑性繊維から成る上記８に記載の衛生ナプキン。
　１０．該弾性的な重合体材料が中空のポリエステル繊維から成る上記９に記載の衛生ナプキン。
　１１．該弾性的な重合体材料が熱硬化され且つ圧縮されて該角度を形成する上記８に記載の衛生ナプキン。
　１２．該丁番手段が該吸収素材及び該フラップの間に配置された少なくとも一つの弾性的ストリップから成る上記４に記載の衛生ナプキン。
　１３．該弾性的ストリップが該ナプキンの下着に面する材料上に配置されている上記１１に記載の衛生ナプキン。
　１４．
　（ａ）長手方向に延びている側部、横の端部、体に面する側及び下着に面する側を有する吸収素材を持つ衛生ナプキンであって、該ナプキンは更に該吸収素材の各々の該長手側部から横に延びているフラップを含み、該フラップは該吸収素材の該下着に面する側と或角度的関係を以て各々の該フラップを配置するための丁番手段を含んでいるナプキンを準備し；
　（ｂ）該下着上に該衛生ナプキンの該下着に面する側を配置し；
及び
　（ｃ）該下着の股部分上に該フラップを折り込み、それにより該フラップが該下着の外側部分上に折り込まれる前に横方向に延びているようにする
ことから成る下着に衛生ナプキンを装着する方法。
　１５．該準備段階が該吸収素材の下着に面する側と約４５°よりも小さい角度を形成するように配置されたフラップを準備する上記１４に記載の方法。
　１６．該準備段階が該吸収素材の下着に面する側と約１５°よりも小さい角度を形成するように配置されたフラップを準備する上記１４に記載の方法。
　１７．該準備段階が加熱処理された熱可塑性プラスチックから成る丁番手段を準備する上記１５に記載の方法。
【図面の簡単な説明】
　第１図はナプキンの下着に面する側と或角度を持つように配置されたフラップを示す本発明の衛生ナプキンの具体化例の下着に面する側の平面図である。
　第２図はフラップ及びナプキンの吸収素材の下着に面する側により形成された好適な鋭角的角度を示す、第１図の線２−２で切った横断断面図である。
　第３図は下着の股部分に着けて配置された第１図の衛生ナプキンの使用状況の斜視図である。